(57)【要約】【課題】スーパーマーケット、コンビニエンスストア、パン販売店等において、迅速かつ安定に商品の袋詰め作業を行うことができる底板付き包装用袋を提供すること。【解決手段】物品を収容するための収容部１と、収容部１の開口縁に設けられた一対の表フラップ２及び裏フラップ３と、収容部１内に物品を収容したとき、収容部１の底部に配置される底板４とを備え、収容部１はガゼット底部を折り畳んだ状態で表シート１１を上にして裏フラップ３と共に横倒しされ、表フラップ２は裏フラップ３に対し反対方向へ折り返されて表シート１１上に重ねられ、底板４は、表フラップ２及び裏フラップ３上に載置される被覆部４１と収容部１内に差し込まれる差込部４２とから構成されている。【選択図】図１
2020083386.tif 000002
【特許請求の範囲】
【請求項１】
物品を収容し運搬するための可撓性を有する包装用袋であって、
互いに対向する表シート及び裏シートから成る胴部と、前記胴部の一端に設けられたガゼット底部と、前記胴部の他端に設けられた開口部とから成る収容部と、
前記収容部の前記開口部において前記表シート及び前記裏シートにそれぞれ設けられ、各先端側に把手を有する表フラップ及び裏フラップと、
前記収容部に物品を収容したとき、前記ガゼット底部に配置される底板と、
を備え、
前記収容部は、前記ガゼット底部を折り畳んだ状態で前記表シートを上にして前記裏フラップと共に横倒しされており、前記表フラップが前記裏フラップに対し反対方向へ折り返されて前記収容部の前記表シート上に重ねられ、
前記底板は、前記収容部の前記開口部を跨いで前記表フラップ及び前記裏フラップ上に載置されて前記表フラップ及び前記裏フラップの上面を被覆する被覆部と、前記被覆部に設けられ、前記開口部から前記表シートと前記ガゼット底部との間に差し込まれる差込部と、から成り、
前記底板の前記被覆部上に載置した物品を、前記表フラップ及び前記裏フラップを引き上げることにより前記底板と共に前記収容部内に収容することを特徴とした底板付き包装用袋。
【請求項２】
前記表フラップの高さが前記収容部の高さよりも大きいことを特徴とする請求項１に記載の底板付き包装用袋。
【請求項３】
前記底板の外縁部寄りに略コ字形状のスリットが形成されており、前記底板の前記スリットよりも外縁部側が前記差込部とされ、前記底板の他の部分が前記被覆部とされている請求項１または請求項２に記載の底板付き包装用袋。
【発明の詳細な説明】
【技術分野】
【０００１】
本発明は、物品を収容し運搬するための可撓性を有する底板付き包装用袋に関するものである。
【背景技術】
【０００２】
周知のとおり、スーパーマーケット、コンビニエンスストア、パン屋等の小売店においては、レジにて清算した商品を顧客が持ち帰るために、いわゆるレジ袋等の合成樹脂製の包装用袋に袋詰めするのが一般的である。
【０００３】
しかしながら、このレジ袋等への袋詰め作業は、一方の手でレジ袋等を開口状態で支えながら、他方の手で個々の商品を一つずつ、その姿勢や配置を整えながら袋に入れてゆく必要があり、手間と時間がかかる難点があった。また、レジ袋は通常、薄い合成樹脂製シート材から成り、多数枚積層されて準備されているため、積層されたレジ袋を一枚ずつ取り出し、その開口部を開く作業自体に手間取ることもあり、さらに、例えばパン、菓子等の比較的に柔らかい商品は、丁寧な取り扱いが必要となるため、袋詰め作業に相当の時間を要し、レジ待ちの行列が発生し機会損失を招く要因にもなった。
【０００４】
現在までに、この袋詰め作業を改善するための袋保持具が提案されている（下記特許文献１参照）。しかしながら、この袋保持具は、レジ袋等を開口状態に保持することができるものの、袋詰め作業時に毎回、保持具にレジ袋をセットする作業を行わなければならない難点があった。
【先行技術文献】
【特許文献】
【０００５】
【特許文献１】特開２００１−１１４２３０号公報
【発明の概要】
【発明が解決しようとする課題】
【０００６】
本発明は、従来の袋詰め作業に上記のような難点があったことに鑑みて為されたもので、迅速かつ安定に袋詰め作業を行うことができる底板付き包装用袋を提供することを課題とする。
【課題を解決するための手段】
【０００７】
本発明は、物品を収容し運搬するための可撓性を有する包装用袋であって、互いに対向する表シート及び裏シートから成る胴部と、前記胴部の一端に設けられたガゼット底部と、前記胴部の他端に設けられた開口部とから成る収容部と；前記収容部の前記開口部において前記表シート及び前記裏シートにそれぞれ設けられ、各先端側に把手を有する表フラップ及び裏フラップと；前記収容部に物品を収容したとき、前記ガゼット底部に配置される底板と；を備え、
前記収容部は、前記ガゼット底部を折り畳んだ状態で前記表シートを上にして前記裏フラップと共に横倒しされており、前記表フラップが前記裏フラップに対し反対方向へ折り返されて前記収容部の前記表シート上に重ねられ、前記底板は、前記収容部の前記開口部を跨いで前記表フラップ及び前記裏フラップ上に載置されて前記表フラップ及び前記裏フラップの上面を被覆する被覆部と、前記被覆部に設けられ、前記開口部から前記表シートと前記ガゼット底部との間に差し込まれる差込部と、から成り、
前記底板の前記被覆部上に載置した物品を、前記表フラップ及び前記裏フラップを引き上げることにより前記底板と共に前記収容部内に収容することを特徴としている。
【０００８】
また、本発明は、前記表フラップの高さが前記収容部の高さよりも大きいことを特徴としている。
【０００９】
また、本発明は、前記底板の外縁部寄りに略コ字形状のスリットが形成されており、前記底板の前記スリットよりも外縁部側が前記差込部とされ、前記底板の他の部分が前記被覆部とされていることを特徴としている。
【発明の効果】
【００１０】
本発明に係る底板付き包装用袋は、物品を底板上に載置し、表フラップ及び裏フラップを上方へ引き上げるだけで、物品を底板上に載置したまま収容部内に収容することができるので、たとえパン、菓子等の丁寧な取扱いが必要となる物品であっても、迅速かつ安定に袋詰め作業を行うことができる。
【図面の簡単な説明】
【００１１】
【図１】本実施形態の底板付き包装用袋の平面図である。
【図２】本実施形態の底板付き包装用袋の底面図である。
【図３】図１中のＡ−Ａ線拡大要部断面図である。
【図４】本実施形態の底板付き包装用袋の収容部、表フラップ及び裏フラップを示す拡大要部断面図である。
【図５】本実施形態の底板付き包装用袋の分解状態の平面図である。
【図６】本実施形態の底板付き包装用袋による袋詰め工程を示す斜視図である。
【図７】本実施形態の底板付き包装用袋による袋詰め工程を示す要部断面図である。
【図８】本実施形態の底板付き包装用袋の袋詰め状態を示す要部断面図である。
【図９】本実施形態の底板付き包装用袋の袋詰め状態を示す斜視図である。
【図１０】比較例の包装用袋による袋詰め工程を示す要部断面図である。
【図１１】比較例の包装用袋の袋詰め状態を示す要部断面図である。
【図１２】本発明に係る他の実施形態の底板付き包装用袋の底板の斜視図である。
【図１３】本発明に係る他の実施形態の底板付き包装用袋の底板の斜視図である。
【発明を実施するための形態】
【００１２】
図１〜図３に示すように、本実施形態の底板付き包装用袋１０は、物品を収容するための収容部１と、この収容部１の開口縁に設けられた一対の表フラップ２及び裏フラップ３と、収容部１内に物品を収容したとき、収容部１の底部に配置される底板４と、から構成されている。
【００１３】
収容部１は、図４に示すように、互いに対向する表シート１１及び裏シート１２から成る胴部１４と、この胴部１４の一端に設けられたガゼット底部１５と、胴部１４の他端に設けられた開口部１６とから構成され、ガゼット底部１５を折り畳んだ状態で、表シート１１を上にして水平方向に横倒しされている。図中、符号１５ａで指示するものは、ガゼット底部１５の表シート１１側の底隅部であり、符号１５ｂで指示するものは、ガゼット底部１５の裏シート１２側の底隅部であり、符号１５ｃで指示するものは、ガゼット底部１５の折込部である。
【００１４】
本実施形態では、表シート１１、ガゼット底部１５及び裏シート１２は、一連の合成樹脂製シート材を計３箇所でそれぞれ逆向きに折り返して形成されており、互いに連続している。そして、シート材の両側縁を熱溶着により接合することによって、収容部１が形成されている。つまり、本実施形態の収容部１は、その両側縁の接合部１３（図２参照）において、ガゼット底部１５側では、表シート１１とガゼット底部１５と裏シート１２とが溶着され、開口部１６側では、表シート１１と裏シート１２とが溶着されている。
【００１５】
裏フラップ３は、上記収容部１の開口部１６において裏シート１２に設けられており、先端側に把手３１が形成されている。本実施形態では、裏フラップ３もまた、収容部１を構成する合成樹脂製シート材から形成されており、裏シート１２と連続している。図４に示すように、裏フラップ３は、収容部１と同様、水平方向に横倒しされており、裏フラップ３の高さＨ３は、収容部１の高さＨ１よりも大きくされている。
【００１６】
表フラップ２は、上記収容部１の開口部１６において表シート１１に設けられており、先端側に把手２１が形成されている。本実施形態では、表フラップ２もまた、収容部１を構成する合成樹脂製シート材から形成されており、表シート１１と連続している。そして、図４に示すように、表フラップ２は、裏フラップ３に対し反対方向へ折り返され、表シート１１上に重ねられている。表フラップ２の高さＨ２は、収容部１の高さＨ１よりも大きくされており、裏フラップ３の高さＨ３と同じである。
【００１７】
底板４は、図１に示すように、収容部１の開口部１６を跨いで表フラップ２及び裏フラップ３上に載置され、これら表フラップ２及び裏フラップ３の上面を部分的に被覆する被覆部４１と、この被覆部４１に設けられ、収容部１内に差し込まれた差込部４２と、から構成されている。本実施形態の底板４は、上面が樹脂コーティングされた長方形状の厚紙から成り、図５に示すように、底板４の外縁部寄りに略コ字形状のスリット４３が形成され、底板４のスリット４３よりも外縁部側が差込部４２とされ、底板４の他の部分が被覆部４１とされている。
【００１８】
そして、図３に示すように、この底板４の差込部４２を、収容部１の開口部１６から表シート１１とガゼット底部１５との間へ底隅部１５ａまで差し込み、被覆部４１を表フラップ２及び裏フラップ３上に載置することによって、本実施形態の底板付き包装用袋１０が構成されている。
【００１９】
なお、図３においては、表シート１１、裏シート１２、ガゼット底部１５、表フラップ２及び裏フラップ３の厚みを誇張して図示しているため、図面上、底板４の被覆部４１の下面と裏フラップ３の上面と間に隙間があるが、実際には、被覆部４１は裏フラップ３上に載置される。また、表フラップ２及び表シート１１は、合成樹脂製シート材から成り、可撓性を有しているので、実際には、差込部４２を収容部１内に差し込んで被覆部４１を表フラップ２及び裏フラップ３上に載置したとき、底板４の差込部４２は、被覆部４１とほぼ同一面上に位置される。
【００２０】
以下、図６〜図１１を参照しながら、本実施形態の底板付き包装用袋１０、及び比較例の包装用袋Ｂを用いた袋詰め作業について説明する。ここでは、パン販売店において物品として複数のパンｂを袋詰めする作業を例に説明する。
【００２１】
本実施形態の底板付き包装用袋１０を用いてパンｂを袋詰めする場合、まず、図６及び図７（ａ）に示すように、底板付き包装用袋１０をトレイＴ上にほぼ平らに拡げておき、底板４の被覆部４１上に個々のパンｂを載置する。このとき、トレイＴを使用せず、例えば作業台上に直接、底板付き包装用袋１０を平らに拡げて底板４上にパンｂを載置するようにしてもよい。また、必要に応じて、個々のパンｂをそれぞれ小袋で個装した状態で底板４上に載置するようにしてもよい。
【００２２】
次に、図７（ｂ）に示すように、把手２１及び把手３１を把持して表フラップ２及び裏フラップ３を起こし、そして、図７（ｃ）に示すように、そのまま表フラップ２及び裏フラップ３を上方へ引き上げる。このとき、表フラップ２は、底板４の被覆部４１の下方において収容部１の表シート１１上に重ねられているため、表フラップ２と表シート１１との接触抵抗により表フラップ２の引き上げに伴って表シート１１が外方へ移動する（矢印Ｍ参照）。一方、表シート１１とガゼット底部１５との間には、底板４の差込部４２が存在するため、表シート１１の移動に伴ってガゼット底部１５が外方へ移動することは殆どない。つまり、本実施形態の底板付き包装用袋１０の場合、表フラップ２の引き上げ動作によって表シート１１が外方へ移動しても、ガゼット底部１５の底隅部１５ａは、底板４の差込部４２の先端近傍位置にとどまる。
【００２３】
そして、表フラップ２及び裏フラップ３を更に上方へ引き上げることによって、ガゼット底部１５が展開され、図８及び図９に示すように、複数のパンｂが底板４上に載置されたまま収容部１内に収容される。
【００２４】
これに対して、図１０に示すように、差込部を持たない底板Ｐを、単に表フラップ２及び裏フラップ３上に載置した比較例の包装用袋Ｂの場合、底板Ｐ上にパンｂを載置し（図１０（ａ）参照）、把手２１及び把手３１を把持して表フラップ２及び裏フラップ３を起こし（同図（ｂ）参照）、そして、そのまま表フラップ２及び裏フラップ３を上方へ引き上げたとき（同図（ｃ）参照）、表フラップ２の引き上げに伴って表シート１１が外方へ移動（矢印Ｍ参照）するだけでなく、表シート１１とガゼット底部１５との接触抵抗によりガゼット底部１５も外方へ移動（矢印ｍ参照）してしまい、ガゼット底部１５の底隅部１５ａが底板Ｐの端部ｅから離れてしまう。
【００２５】
その結果、表フラップ２及び裏フラップ３を更に上方へ引き上げてガゼット底部１５が展開されたとき、図１１に示すように、底板Ｐの端部ｅとガゼット底部１５の底隅部１５ａとが大きく位置ずれしてしまい、底板Ｐが大きく傾き、個々のパンｂが転動したり、互いに接触するなどしてその品質が損われることにもなった。
【００２６】
このように、本実施形態の底板付き包装用袋１０によれば、物品を底板４の被覆部４１上に載置し、表フラップ３及び裏フラップ４を上方へ引き上げるだけで、物品を底板４上に載置したまま収容部１内に収容することができる。したがって、たとえパン、菓子等の丁寧な取扱いが必要となる物品であっても、迅速かつ安定に袋詰め作業を行うことができる。
【００２７】
また、底板付き包装用袋１０を平らに拡げた状態で、物品を底板４上に載置することができるので、複数の物品を袋詰めする場合であっても、個々の物品の姿勢や配置を整える作業も容易に行うことができ、この点においても迅速な袋詰め作業を行うことができる。
【００２８】
また、本実施形態の底板付き包装用袋１０は、底板４の被覆部４１が表フラップ２及び裏フラップ３の上面を被覆するので、物品を底板４上に載置する際、物品が表フラップ２及び裏フラップ３に触れることがなく衛生的であり、また、表フラップ３及び裏フラップ４を引き上げる際に、物品が表フラップ３や裏フラップ４と接触して物品の姿勢や配置が乱れることもなく、この点においても安定な袋詰め作業を行うことができる。
【００２９】
また、本実施形態の底板付き包装用袋１０は、表フラップ２の高さ（Ｈ２）を収容部１の高さ（Ｈ１）よりも大きくしているので、底板付き包装用袋１０を平らに拡げたとき、表フラップ２の先端が収容部１の底部よりも外方へ突出し、表フラップ２及び裏フラップ３を上方へ起こして引き上げる作業を容易に行うことができ、この点においても迅速な袋詰め作業を行うことができる。
【００３０】
また、本実施形態の底板付き包装用袋１０は、底板４にスリット４３を形成することにより差込部４２を形成しているので、差込部４２を備えた底板４を低コストに構成することができ、底板付き包装用袋１０を安価に製造することができる。
【００３１】
以上、本実施形態の底板付き包装用袋１０について説明したが、本発明は他の実施形態でも実施することができる。
【００３２】
例えば、上記実施形態では、収容部１、表フラップ２、及び裏フラップ３を合成樹脂製シート材から構成しているが、本発明はこれに限定されるものではなく、例えば紙材、布材、或いは、合成樹脂材、紙材、布材等を積層した複合シート材により構成してもよい。また、底板４の材質についても、紙材に限定されるものではなく、例えば合成樹脂材から構成してもよい。
【００３３】
また、上記実施形態では、収容部１、表フラップ２、及び裏フラップ３を一連のシート材を折り返すことにより連続させて構成しているが、本発明はこれに限定されるものではなく、収容部１を構成する表シート１１、裏シート１２、及びガゼット底部１５、並びに表フラップ２、裏フラップ３を、複数のシート材を組み合わせて構成してもよい。
【００３４】
また、上記実施形態では、底板４にスリット４３を形成することにより差込部４２を形成しているが、例えば、図１２に示すように、長方形状の板材から成る被覆部５１の下面に、長方形状の他の板材から成る差込部５２の基端部５３を接合することにより底板５を構成してもよい。また、図１３に示すように、長方形状の板材から成る被覆部６１の下面に、長方形状の他の板材から成る差込部６２を、更に他の板材から成る中間部材６３を介して接合することにより底板６を構成してもよい。底板の収容部１内への差込作業性、底板自体の剛性、重量、コスト等を考慮して種々の設計変更が可能である。
【００３５】
本発明は、その他、その趣旨を逸脱しない範囲内で、当業者の知識に基づいて種々の改良、修正、変形を加えた態様で実施し得るものである。また、同一の作用又は効果が生じる範囲内でいずれかの発明特定事項を他の技術に置換した形態で実施してもよく、また、一体に構成されている発明特定事項を複数の部材から構成したり、複数の部材から構成されている発明特定事項を一体に構成した形態で実施してもよい。
【符号の説明】
【００３６】
１０  底板付き包装用袋
１  収容部
１１  表シート
１２  裏シート
１４  胴部
１５  ガゼット底部
１６  開口部
２  表フラップ
２１  把手
３  裏フラップ
３１  把手
４  底板
４１  被覆部
４２  差込部
４３  スリット
Ｈ１  収容部の高さ
Ｈ２  表フラップの高さ
Ｈ３  裏フラップの高さ
【図１】
2020083386.tif 000003
【図２】
2020083386.tif 000004
【図３】
2020083386.tif 000005
【図４】
2020083386.tif 000006
【図５】
2020083386.tif 000007
【図６】
2020083386.tif 000008
【図７】
2020083386.tif 000009
【図８】
2020083386.tif 000010
【図９】
2020083386.tif 000011
【図１０】
2020083386.tif 000012
【図１１】
2020083386.tif 000013
【図１２】
2020083386.tif 000014
【図１３】
2020083386.tif 000015
【手続補正書】
【提出日】平成31年3月12日(2019.3.12)
【手続補正１】
【補正対象書類名】特許請求の範囲
【補正対象項目名】全文
【補正方法】変更
【補正の内容】
【特許請求の範囲】
【請求項１】
物品を収容し運搬するための可撓性を有する包装用袋であって、
互いに対向する表シート及び裏シートから成る胴部と、前記胴部の一端に設けられたガゼット底部と、前記胴部の他端に設けられた開口部とから成る収容部と、
前記収容部の前記開口部において前記表シート及び前記裏シートにそれぞれ設けられ、各先端側に把手を有する表フラップ及び裏フラップと、
前記収容部に物品を収容したとき、前記ガゼット底部に配置される底板と、
を備え、
前記収容部は、前記ガゼット底部を折り畳んだ状態で前記表シートを上にして前記裏フラップと共に横倒しされており、前記表フラップが前記裏フラップに対し反対方向へ折り返されて前記収容部の前記表シート上に重ねられ、
前記底板は、前記収容部の前記開口部を跨いで前記表フラップ及び前記裏フラップ上に載置されて前記表フラップ及び前記裏フラップの上面を被覆する被覆部と、前記被覆部に設けられ、前記開口部から前記表シートと前記ガゼット底部との間に差し込まれる差込部と、から成り、
前記差込部は、その長さが前記収容部の高さ以上あり、前記ガゼット底部の前記表シート側の底隅部まで差し込まれており、
前記底板の前記被覆部上に載置した物品を、前記表フラップ及び前記裏フラップを引き上げることにより前記底板と共に前記収容部内に収容することを特徴とした底板付き包装用袋。
【請求項２】
前記表フラップの高さが前記収容部の高さよりも大きいことを特徴とする請求項１に記載の底板付き包装用袋。
【請求項３】
前記底板の外縁部寄りに略コ字形状のスリットが形成されており、前記底板の前記スリットよりも外縁部側が前記差込部とされ、前記底板の他の部分が前記被覆部とされている請求項１または請求項２に記載の底板付き包装用袋。
【手続補正２】
【補正対象書類名】明細書
【補正対象項目名】０００７
【補正方法】変更
【補正の内容】
【０００７】
本発明は、物品を収容し運搬するための可撓性を有する包装用袋であって、互いに対向する表シート及び裏シートから成る胴部と、前記胴部の一端に設けられたガゼット底部と、前記胴部の他端に設けられた開口部とから成る収容部と；前記収容部の前記開口部において前記表シート及び前記裏シートにそれぞれ設けられ、各先端側に把手を有する表フラップ及び裏フラップと；前記収容部に物品を収容したとき、前記ガゼット底部に配置される底板と；を備え、
前記収容部は、前記ガゼット底部を折り畳んだ状態で前記表シートを上にして前記裏フラップと共に横倒しされており、前記表フラップが前記裏フラップに対し反対方向へ折り返されて前記収容部の前記表シート上に重ねられ、前記底板は、前記収容部の前記開口部を跨いで前記表フラップ及び前記裏フラップ上に載置されて前記表フラップ及び前記裏フラップの上面を被覆する被覆部と、前記被覆部に設けられ、前記開口部から前記表シートと前記ガゼット底部との間に差し込まれる差込部と、から成り、前記差込部は、その長さが前記収容部の高さ以上あり、前記ガゼット底部の前記表シート側の底隅部まで差し込まれており、
前記底板の前記被覆部上に載置した物品を、前記表フラップ及び前記裏フラップを引き上げることにより前記底板と共に前記収容部内に収容することを特徴としている。
【手続補正３】
【補正対象書類名】明細書
【補正対象項目名】００１８
【補正方法】変更
【補正の内容】
【００１８】
図３及び図４に示すように、底板４の差込部４２の長さは、収容部１の高さＨ１以上あり、この底板４の差込部４２を、収容部１の開口部１６から表シート１１とガゼット底部１５との間へ底隅部１５ａまで差し込み、被覆部４１を表フラップ２及び裏フラップ３上に載置することによって、本実施形態の底板付き包装用袋１０が構成されている。